(57)【要約】【課題】  ＩＰ電話装置のプレゼンス機能において扱うことのできるプレゼンス状態の種類を拡張することが可能であるＩＰ電話装置。【解決手段】  従来はＩＰ電話１内部で固定的に保持されていたプレゼンステーブルのうち、プレゼンス状態表示文字列およびプレゼンス状態通知文字列の追加、削除、編集をユーザーが任意に行うことができるようにする。これにより、プレゼンス状態がＩＰ電話１に登録され、プレゼンスサーバ５０を中継して各ＩＰ電話１に通知された際に、各ＩＰ電話１に表示されるプレゼンス状態表示文字列の内容を統一することができる。また、ＩＰ電話１の運用において使用されないプレゼンス状態をプレゼンステーブルから削除することにより、プレゼンス状態登録画面において選択不可にすることが可能である。【選択図】        図１
2006279477.tif 000002
【特許請求の範囲】
【請求項１】
ユーザーのプレゼンス状態をＩＰ電話に登録するプレゼンス状態登録画面において、前記プレゼンス状態を示すプレゼンス状態表示文字列を選択および指定することにより前記プレゼンス状態の登録を行うプレゼンス状態登録手段と、
前記プレゼンス状態登録手段において指定された前記プレゼンス状態表示文字列を、前記プレゼンス状態を管理するプレゼンスサーバに通知するためのプレゼンス状態通知文字列に変換するプレゼンス状態通知文字列変換手段と、
前記プレゼンス状態通知文字列変換手段において変換された前記プレゼンス状態通知文字列を前記プレゼンスサーバに対して通知するプレゼンス状態通知手段と、
前記プレゼンス状態表示文字列と前記プレゼンス状態通知文字列とを関連付けてプレゼンステーブルとして前記ＩＰ電話の記憶部に記憶するプレゼンステーブル記憶手段と、
を備えたＩＰ電話装置において、
前記プレゼンステーブルにおいて、前記状態表示文字列の追加、削除および編集を行なう状態表示文字列拡張手段と、
前記プレゼンステーブルにおいて、前記状態通知文字列の追加、削除および編集を行なう状態通知文字列拡張手段と、
を有することを特徴とするＩＰ電話装置。
【発明の詳細な説明】
【技術分野】
【０００１】
本発明は、ＩＰネットワークに接続されたＩＰ電話装置に関するものであり、特にユーザーのプレゼンス状態の登録および表示を行うために用いられるプレゼンステーブルの拡張性に関する。
【背景技術】
【０００２】
近年、ＶｏＩＰ（Voice over Internet Protocol）を用いて音声通話を行うＩＰ電話装置（ＩＰ電話）が普及し始めている。ＶｏＩＰとは、インターネットやイントラネットのようなＩＰネットワーク上で音声通話を実現する技術である。ＶｏＩＰでは、デジタル符号化した音声信号を一定の時間毎に区切ってパケット化し、ＩＰネットワークを使用して送信する。ＩＰネットワークは回線使用効率が高いため、従来の電話回線を使用するよりも通話料金にかかるコストが少ないという利点がある。
【０００３】
またＩＰ電話のもう一つの特徴として、ＶｏＩＰ以外のプロトコルを使用して、音声通信以外の通信機能を実装できるという点がある。例えば、ＩＰ電話の装置設定を行う場合、ＩＰ電話の小さな表示パネルと少ない操作ボタンで装置の設定を行うことは非常に煩わしい作業である。しかし例えばＨＴＴＰ（HyperText Transfer Protocol）を使用して外部（例えばＰＣのブラウザ）からＩＰ電話へ接続する機能をＩＰ電話に実装させることにより、ＰＣのブラウザからＩＰ電話の設定を変更したり、また例えば、ＩＰ電話の通信ログをＰＣのブラウザから参照したりすることが可能となる。
【０００４】
上記のように、ＩＰ電話に実装されている音声通信以外の通信機能の一つとして、プレゼンス機能がある。プレゼンス機能とは、ある通信端末（例えばＩＰ電話）を使用しているユーザーが、今現在どのような在席状況（プレゼンス状態）にあるかを登録、管理、伝達するための機能である。ユーザーは現在の自分のプレゼンス状態（例えば会議中、外出中など）を示す情報を自分のＩＰ電話に登録することにより、ＩＰネットワークを通じて他のＩＰ電話を使用しているユーザーに自分のプレゼンス状態を通知することができる。
【０００５】
これにより例えば、ＩＰ電話からＩＰ電話に対して電話をかける前に、相手側ユーザーの状況をプレゼンス機能によって知ることができる。そのため例えば、相手が離席中であった場合、電話をかける前に相手の離席を確認することができるため、電話に費やす時間や通信費を無駄にすることがない。また例えば、相手側ユーザーが会議中であった場合、他者を経由して会議室に電話を転送してもらったり、或いは急ぎの用事ではないのでしばらく待ったりなど、選択を行うことができる。このようにプレゼンス機能とは、ユーザー間のコミュニケーションが円滑に行われるように補助するための機能といえる。
【０００６】
プレゼンス機能を活用した発明として特許文献１では、ユーザーのプレゼンス情報をもとに、交換機が自動的に通信の転送を行うコミュニケーション交換システムが開示されている。特許文献１のシステムにおいては、ＩＰ電話内のメモリに、ユーザーが選択できるプレゼンス状態を一覧にまとめたプレゼンステーブルが存在する。このテーブルには、例えば在席中、外出中、会議中などのプレゼンスが登録されており、ユーザーはこの中から一つのプレゼンスを選択することができる。ユーザーがプレゼンスを選択すると、ＩＰ電話は登録されたプレゼンスをユーザーのプレゼンス状態として、プレゼンスサーバ機能を持つ交換機に対して通知する。
【０００７】
交換機は、各ＩＰ電話から通知されたプレゼンス状態を記憶するプレゼンス管理テーブルと、ユーザー毎のプレゼンス状態に対応した転送先を記憶するユーザー毎転送先テーブルとを、メモリ内に保持している。これにより、あるユーザーに対する着信があった場合、交換機はプレゼンス管理テーブルを参照して、該当ユーザーのプレゼンス状態を確認する。そして交換機は、プレゼンス状態に対応した転送先を、ユーザー毎転送先テーブルから取得して転送処理を行う。
【０００８】
これにより例えば、ユーザーのプレゼンス状態が在席中であった場合、転送を行わず着信先のＩＰ電話へ接続する。また例えば、プレゼンス状態が会議中であった場合、会議室の電話に転送をおこなう。また例えば、プレゼンス状態が外出中であれば、ユーザーの携帯電話に転送を行う。このように、プレゼンス状態毎に異なった転送処理を自動的に行うことができる。
【特許文献１】特開２００５−１８１９４号公報
【発明の開示】
【発明が解決しようとする課題】
【０００９】
しかしながら上記のような従来のプレゼンス機能においては、通知および表示できるプレゼンス状態がＩＰ電話ごとに固定されている。従って、ＩＰ電話の機種の違いにより、プレゼンス状態を装置間で通知し合うための文字列（プレゼンス状態通知文字列）やプレゼンス状態を装置上で表示する文字列（プレゼンス状態表示文字列）がＩＰ電話毎に異なる場合、プレゼンス機能が正常に動作しない可能性がある。例えば、同じプレゼンス状態を登録しているにもかかわらず、表示するＩＰ電話により、プレゼンス状態表示文字列が異なることにより、プレゼンス情報が正確に伝わらないなどの不具合が生じる可能性がある。
【００１０】
また、ＩＰ電話に登録されているプレゼンス状態通知文字列やプレゼンス状態表示文字列の内容を変更したくとも、プレゼンステーブルがＩＰ電話毎に固定されているため、ＩＰ電話の機種を交換するしかないという問題があった
【課題を解決するための手段】
【００１１】
本発明は上記の問題に鑑みてなされたものであり、
ＩＰ電話のプレゼンス機能において扱うことのできるプレゼンス状態の種類を拡張することが可能であること
を特徴とするＩＰ電話装置を提供することを目的とする。
【００１２】
上記目的を達成するために本発明のＩＰ電話装置は、
ユーザーのプレゼンス状態をＩＰ電話に登録するプレゼンス状態登録画面において、前記プレゼンス状態を示すプレゼンス状態表示文字列を選択および指定することにより前記プレゼンス状態の登録を行うプレゼンス状態登録手段と、
前記プレゼンス状態登録手段において指定された前記プレゼンス状態表示文字列を、前記プレゼンス状態を管理するプレゼンスサーバに通知するためのプレゼンス状態通知文字列に変換するプレゼンス状態通知文字列変換手段と、
前記プレゼンス状態通知文字列変換手段において変換された前記プレゼンス状態通知文字列を前記プレゼンスサーバに対して通知するプレゼンス状態通知手段と、
前記プレゼンス状態表示文字列と前記プレゼンス状態通知文字列とを関連付けてプレゼンステーブルとして前記ＩＰ電話の記憶部に記憶するプレゼンステーブル記憶手段と、
を備えたＩＰ電話装置において、
前記プレゼンステーブルにおいて、前記状態表示文字列の追加、削除および編集を行なう状態表示文字列拡張手段と、
前記プレゼンステーブルにおいて、前記状態通知文字列の追加、削除および編集を行なう状態通知文字列拡張手段と、
を有することを特徴としている。
【００１３】
この構成によると例えば、従来はＩＰ電話ごとに内容が固定されておりユーザーが変更を加えることのできなかったプレゼンステーブルに対して編集を行い、状態表示文字列および状態通知文字列の追加、削除、編集を行なうことができる。
【発明の効果】
【００１４】
本発明の構成によれば、プレゼンステーブルにおける状態表示文字列および状態通知文字列の追加、削除、編集をユーザーが自由に行うことができる。このため、例えば運用上使用することのないプレゼンス状態がある場合に、そのプレゼンス状態に対応したプレゼンス状態表示文字列およびプレゼンス状態通知文字列をプレゼンステーブルから削除し、プレゼンス状態登録画面およびプレゼンス状態表示画面において使用できないようにすることができる。また例えば、新しいプレゼンス状態を追加したい場合に、状態表示文字列およびそれに対応した状態通知文字列を新規にプレゼンステーブルに追加することにより、プレゼンス状態登録画面およびプレゼンス状態表示画面において使用できるプレゼンス状態を追加することができる。また例えば、ある特定のプレゼンス状態通知文字列に対応するプレゼンス状態表示文字列が、ＩＰ電話の機種の差などにより異なっている場合に、プレゼンステーブルの内容を修正することにより、プレゼンス状態登録画面およびプレゼンス状態表示画面における表示を統一することができる。
【００１５】
また本発明の構成によれば、ＩＰ電話の運用が開始された後でも、プレゼンステーブルの内容を変更することができる。このため例えば、ＩＰ電話導入の際に、ＩＰ電話内部のプレゼンステーブルの内容を意識してＩＰ電話の機種を選択する必要がない。また例えば、運用開始後にプレゼンステーブルの内容を変更したい場合に、ＩＰ電話を買い換えるなどのコストをかけることなしに、対応を行うことができる。
【発明を実施するための最良の形態】
【００１６】
以下に、本発明のＩＰ電話について、図面を参照しつつ説明する。
［実施の形態］
〈１．ＩＰ電話の要部構成について〉
ここで、本発明のＩＰ電話１の要部構成およびＩＰ電話１が接続されるＩＰネットワークの構成要素について、図２のブロック図を用いながら説明する。
【００１７】
図２のブロック図に示すように、本発明のＩＰ電話１は少なくとも、制御部１１、メモリ１２、操作ボタン群１３、表示パネル１４を含むように構成されている。また、本発明のＩＰ電話１は、ＩＰネットワークを通じてプレゼンスサーバ５０、ＳＩＰサーバ６０に接続されている。
【００１８】
制御部１１は、ＩＰ電話１の各部材の駆動を有機的に制御して、ＩＰネットワークを用いた通信処理を統括制御するものである。また制御部１１は、各装置（例えば表示パネル１４）の制御や、データの計算、データ加工処理等を行なう中枢部分となっている。
【００１９】
メモリ１２は、各種データを記録するための媒体であり、記憶するデータの種別毎に複数の記憶部を有する。メモリ１２は、少なくともプレゼンステーブル記憶部２１、およびプレゼンス情報記憶部２２を含むように構成されている。
【００２０】
プレゼンステーブル記憶部２１は、プレゼンス状態表示文字列とプレゼンス状態通知文字列とを関連付けて一覧としたプレゼンステーブルを記憶するための記憶部である。なお、プレゼンステーブルの詳細については後述する。
【００２１】
プレゼンス情報記憶部２２は、操作ボタン群１３および表示パネル１４を用いて登録されたプレゼンス状態を記憶するための記憶部である。プレゼンス情報記憶部２２に記憶されたプレゼンス状態は、ネットワークを通じて後述するプレゼンスサーバ５０に通知される。またプレゼンス情報記憶部２２は、ＩＰネットワークを通じてプレゼンスサーバ５０より受信した他のＩＰ電話１のユーザーのプレゼンス情報を記憶する役割も持つ。
【００２２】
操作ボタン群１３は、ユーザーがＩＰ電話１を用いて音声通信もしくはデータ通信等を行う際の各種指示をＩＰ電話１に対して行なうための入力インタフェースである。具体的には、ダイアルボタン、短縮ダイアルボタン、プレゼンス状態登録ボタン、などを含んでいる。
【００２３】
表示パネル１４は、ユーザーに対してＩＰ電話１が保持している各種情報を表示するための出力インタフェースである。プレゼンス状態の表示や、各種設定を行う際の情報の表示に使用される。
【００２４】
プレゼンスサーバ５０は、ＩＰ電話１より通知されたユーザー毎のプレゼンス状態を受信、記憶、管理、配信等するための装置である。プレゼンスサーバ５０により、ユーザーが在籍しているか、或いは外出中であるかなどの情報を中継することにより、ユーザー間で連絡を取り合うことなく、相互の状況を確認しあうことが可能となる。なお、ＩＰ電話１以外の通信端末（例えばＰＣや携帯電話など）からＩＰネットワーク経由で通知されたプレゼンス状態を扱うことも可能である。プレゼンスサーバ５０は、少なくともプレゼンス管理情報記憶部５１を含むように構成されている。
【００２５】
プレゼンス管理情報記憶部５１は、例えば通信端末（例えばＩＰ電話１）から送信されてきたユーザー毎のプレゼンス状態を、他の通信端末に対して中継するための設定情報や、前記中継処理を行った際の処理履歴などを記憶するための記憶部である。通信端末からプレゼンス状態に関する通知を受信する度に、プレゼンス管理情報は更新される。
【００２６】
ＳＩＰサーバ６０は、ＳＩＰ（Session Initiation Protocol）を用いてＩＰ電話１間の通信制御を行う通信制御装置である。ＳＩＰとは、転送機能や発信者番号通知機能などを備えた通話制御プロトコルの一種であり、同系統のプロトコルと比較して接続にかかる時間が短いという特徴を持つ。ＳＩＰサーバーは、クライアント（例えばＩＰ電話１）がアドレスを登録するレジスタサーバ、クライアントに代わってアドレスを検索するプロキシサーバ、クライアントから受け取った接続要求を別のアドレスに転送するリダイレクトサーバなどの機能を備えている。
【００２７】
〈２．プレゼンステーブルの構成について〉
図３、図５、および図６は、本発明のＩＰ電話１におけるプレゼンステーブル記憶部２１に記憶されているプレゼンステーブルの構成の一例を示したテーブル図である。プレゼンステーブルは少なくとも、プレゼンス状態通知文字列およびプレゼンス状態表示文字列を含むように構成されている。
【００２８】
プレゼンス状態通知文字列は、ユーザー毎のプレゼンス状態をネットワークを通じて通知する際に使用される文字列データである。装置内部の処理で使用される文字列データであるため、ユーザーが意識することはない。プレゼンス状態通知文字列は、主に英数字から構成されている。
【００２９】
プレゼンス状態表示文字列は、ユーザー毎のプレゼンス状態を各通信端末のユーザーインタフェース（例えばＩＰ電話１の表示パネル１４）において表示するための文字列である。主にカタカナなどの日本語から構成されている。なお、プレゼンス状態表示文字列は、プレゼンス状態通知文字列と一対一の関係で関連付けられていることが運用上好ましい。
【００３０】
〈３．プレゼンス状態の更新処理について〉
ここで、本発明のＩＰ電話１におけるプレゼンス状態の更新処理工程を図１のフローチャートと、図２から図６のブロック図とを用いて説明する。
【００３１】
図１に示すように、ＩＰ電話１の制御部１１が、ユーザーによるプレゼンス状態の登録を検知することにより、本処理が開始される（Ｓ１）。プレゼンス状態の登録処理は、ユーザーがプレゼンス状態登録画面において、プレゼンス状態選択ボタンおよびプレゼンス状態登録ボタン（共に操作ボタン群１３に含まれる）を用いて行う。例えば、現在登録されているプレゼンス状態が「ザイセキ」であり、プレゼンス状態を「カイギチュウ」に変更したいとする。この場合、図３のプレゼンステーブルに示すように「ザイセキ」と「カイギチュウ」の間に六つのプレゼンス状態表示文字列があるため、図４の矢印αおよび矢印βに示すように、複数回（この場合は計七回）プレゼンス状態選択ボタンを押下する。これにより、「カイギチュウ」のプレゼンス状態表示文字列がプレゼンス状態登録画面に表示される。この状態でプレゼンス状態登録ボタンを押下することにより、会議中を示すプレゼンス状態の登録が受け付けられる。
【００３２】
プレゼンス状態の登録を受け付けた制御部１１は、上記Ｓ１において指定されたプレゼンス状態表示文字列に対応するプレゼンス状態通知文字列をプレゼンステーブルから検索する。例えば、「カイギチュウ」のプレゼンス状態表示文字列が指定された場合、図３のＮｏ．８に示すように「meeting」が対応するプレゼンス状態通知文字列として認識される（Ｓ２）。もし、プレゼンス状態表示文字列に対応するプレゼンス状態通知文字列が発見されない場合、登録処理エラーをユーザーに通知して本処理を終了する（Ｓ２ａ）。
【００３３】
制御部１１は、上記Ｓ２で得られたプレゼンス状態通知文字列をプレゼンス状態記憶部２２に記憶した後、ＩＰネットワークおよびＳＩＰサーバ６０を用いてプレゼンス状態通知文字列をプレゼンスサーバ５０に送信する（Ｓ３）。ＩＰ電話１よりプレゼンス状態通知文字列を受信したプレゼンスサーバ５０は、プレゼンス管理情報記憶部５１に記憶されているプレゼンス管理情報をもとに、あらかじめ定められた複数のＩＰ電話１に対して、上記のプレゼンス状態通知文字列を転送する（Ｓ４）。
【００３４】
プレゼンスサーバ５０により中継されたプレゼンス状態通知文字列は、ネットワーク上に存在する複数のＩＰ電話１によって受信される。プレゼンス状態通知文字列を受信したＩＰ電話１は、プレゼンス状態通知文字列をプレゼンス状態記憶部２２に記憶する（Ｓ５）。例えば、上記Ｓ３において送信された文字列「meeting」がプレゼンス状態記憶部２２に記憶される。
【００３５】
プレゼンス状態通知文字列を受信したＩＰ電話１の制御部１１は、例えばユーザーからのプレゼンス状態表示命令を検知すること（例えば、プレゼンス状態表示ボタンの押下を検知することなど）により（Ｓ６）、プレゼンステーブルを参照して、上記Ｓ５において記憶された状態通知文字列に対応するプレゼンス状態表示文字列が存在するかどうかを確認する（Ｓ７）。
【００３６】
対応するプレゼンス状態表示文字列が存在する場合、プレゼンス状態表示文字列をプレゼンス状態表示画面に表示する。存在しない場合、該当ユーザーのプレゼンス状態は表示されず、本処理を終了する。例えば、図５のＮｏ．８に示すように、上記Ｓ５で記憶されたプレゼンス状態通知文字列「meeting」に対応するプレゼンス状態表示文字列「カイギチュウ」が存在する場合、プレゼンス状態表示画面において「カイギチュウ」の文字列を表示する。また例えば、図７に示すように、プレゼンス状態通知文字列「meeting」に対応する項目がプレゼンステーブルに存在しない場合、該当するユーザーのプレゼンス状態は表示されない。
【００３７】
〈４．本発明の種々ある特徴について〉
本実施形態によると、
ＩＰ電話１のプレゼンス状態登録画面において登録されたプレゼンス状態通知文字列は、ＩＰネットワークおよびプレゼンスサーバ５０によってネットワーク上の複数のＩＰ電話１に対して通知される（Ｓ１〜Ｓ４）。通知を受けた各ＩＰ電話１は、通知されたプレゼンス状態通知文字列をプレゼンス状態記憶部２２に記憶する（Ｓ５）。そしてユーザーからのプレゼンス状態表示指示などを検知した際に、プレゼンステーブルを参照して、通知されたプレゼンス状態通知文字列に対応するプレゼンス状態表示文字列を表示する（Ｓ８）。
【００３８】
従って、例えばプレゼンス状態を登録する側のＩＰ電話１のプレゼンステーブルが図５に示す状態であり、なおかつプレゼンス状態を表示する側のＩＰ電話１のプレゼンステーブルが図６に示す状態であったとする。そして登録側のＩＰ電話１のプレゼンス状態登録画面において、プレゼンス状態表示文字列「ヒルヤスミ」が指定され、プレゼンス状態の登録が行われたとする。この場合、プレゼンス状態通知文字列「lunch」がプレゼンスサーバ５０を中継して各ＩＰ電話１に通知される。これを受けたプレゼンス状態表示側のＩＰ電話１（図６のテーブルを持つＩＰ電話１）は、例えばユーザーからプレゼンス状態表示指示を受けた際に、受信したプレゼンス状態通知文字列「lunch」に対応するプレゼンス表示文字列「ヒルゴハン」をプレゼンス状態表示画面に表示する。このように、プレゼンステーブルの内容が異なっている場合、登録側と表示側で表示されるプレゼンス状態表示文字列が異なる場合がある。
【００３９】
上記のような場合、従来のＩＰ電話であれば、プレゼンス状態表示文字列の統一するためには、ＩＰ電話の機器そのものを取り替えるしかなかった。しかし本発明におけるＩＰ電話１では、登録側と受信側との表示を統一したい場合、受信側のＩＰ電話１のプレゼンステーブルを図５に示す内容に変更する（もしくは、送信側のＩＰ電話１のプレゼンステーブルを図６に示す内容に変更する）ことにより、プレゼンス状態表示画面における表示される文字列の統一を図ることができる。
【００４０】
また本実施形態によると、普段使用しないプレゼンス状態表示文字列をプレゼンステーブルから削除することにより、プレゼンス状態登録画面におけるプレゼンス状態登録作業の作業性を向上させることができる。
【００４１】
例えば、「ザイセキ」と「カイギチュウ」の二つのプレゼンス状態しか使用しない運用形態であったとする。従来のＩＰ電話では、プレゼンス状態登録画面においてプレゼンス状態表示文字列を「ザイセキ」から「カイギチュウ」に変更する場合、図４の矢印αおよび矢印βに示すように、必ず複数回（ここでは計七回）プレゼンス状態選択ボタンを押下する必要があった。しかし本発明のＩＰ電話１においては、図３のプレゼンステーブルのうち、使用しないＮｏ．２からＮｏ．７の項目を削除することが可能である。これにより、プレゼンス状態選択ボタンを一回押下することにより、プレゼンス状態表示文字列が「ザイセキ」から「カイギチュウ」に変更されるため、少ない手順でプレゼンス状態登録作業を行うことが可能となり、作業性の向上を図ることができる。
【００４２】
尚、このようなプレゼンステーブル中の項目の削除、追加及び編集は、例えば従来のＩＰ電話の装置設定と同様にＨＴＴＰを使用してＰＣのブラウザから行なうことができる。
【００４３】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実行することができる。
【００４４】
例えば前述した実行形態の機能を実現するソフトウェアのプログラムコードを記録した記憶媒体を、ＩＰ電話１に供給し、そのＩＰ電話１内のコンピュータ（例えばＣＰＵ）が記憶媒体に格納されたプログラムコードを読出し実行することによっても、達成されることは言うまでもない。
【００４５】
この場合、記憶媒体から読出されたプログラムコード自体が、前述した実行形態の機能を実現することになり、そのプログラムコードを記憶した記憶媒体は本発明を構成することになる。
【００４６】
なお、プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカードなどを用いることができる。
【００４７】
また、コンピュータが読出したプログラムコードを実行することにより、前述した実行形態の機能が実現されるだけでなく、そのプログラムコードの指示に基づき、ＩＰ電話１上で稼働しているＯＳ（オペレーティング方法）などが実際の処理の一部または全部を行い、その処理によって前述した実行形態の機能が実現される場合も含まれることは言うまでもない。
【００４８】
さらに、記憶媒体から読出されたプログラムコードが、ＩＰ電話１に挿入された機能拡張ボードやＩＰ電話１に接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実行形態の機能が実現される場合も含まれることは言うまでもない。
【図面の簡単な説明】
【００４９】
【図１】本発明のプレゼンス状態更新処理のフローチャートである。
【図２】本発明のＩＰ電話の構成要素およびＩＰ電話が接続されるネットワークの構成要素を示したブロック図である。
【図３】本発明のプレゼンステーブルの構成の一例を示したテーブル図である。
【図４】本発明のプレゼンス状態登録画面の遷移を示した画面遷移図である。
【図５】本発明のプレゼンステーブルの構成の一例を示したテーブル図である。
【図６】本発明のプレゼンステーブルの構成の一例を示したテーブル図である。
【符号の説明】
【００５０】
１    ＩＰ電話（ＩＰ電話装置）
１１  制御部
１２  メモリ（記憶部）
１３  操作ボタン群
１４  表示パネル
５０  プレゼンスサーバ
６０  ＳＩＰサーバ
【図１】
2006279477.tif 000003
【図２】
2006279477.tif 000004
【図３】
2006279477.tif 000005
【図４】
2006279477.tif 000006
【図５】
2006279477.tif 000007
【図６】
2006279477.tif 000008